(57)【要約】【課題】車両等に持ち込まれたＰＣ３０へのコンテンツデータの転送を効率よく自動的に行うことができる端末装置を提供すること。【解決手段】ＰＣ３０との間でデータ通信を行うための通信手段３、７と、通信手段３、７を介して通信可能に接続されたＰＣ３０へのコンテンツデータの転送が可能な状態か否かを判断する転送可否判断手段１２ａと、転送可否判断手段１２ａにより転送可能な状態であると判断された場合、所定の情報に基づいて、通信可能に接続されたＰＣ３０へのコンテンツデータの転送実施条件を決定する転送実施条件決定手段１２ｂと、転送実施条件決定手段１２ｂにより決定された転送実施条件に応じたコンテンツデータを通信可能に接続されたＰＣ３０へ転送する制御を行うデータ転送制御手段１２ｃとを装備する。【選択図】図１
2008090620.tif 000002
【特許請求の範囲】
【請求項１】
コンテンツデータが収録される記憶手段と、
携帯端末との間でデータ通信を行うための通信手段と、
該通信手段を介して通信可能に接続された携帯端末への前記記憶手段に収録されたコン
テンツデータの転送が可能な状態であるか否かを判断する転送可否判断手段と、
該転送可否判断手段により転送可能な状態であると判断された場合、所定の情報に基づ
いて、前記通信可能に接続された携帯端末への前記収録されたコンテンツデータの転送実
施条件を決定する転送実施条件決定手段と、
該転送実施条件決定手段により決定された転送実施条件に応じて前記収録されたコンテ
ンツデータを前記通信可能に接続された携帯端末へ転送する制御を行うデータ転送制御手
段とを備えていることを特徴とする端末装置。
【請求項２】
放送波を受信する放送受信手段、及び映像や音声データを再生する映像音声再生手段の
うちの少なくともいずれかを備え、
前記転送可否判断手段が、
前記放送受信手段、及び／又は前記映像音声再生手段の作動状況に基づいて、前記収録
されたコンテンツデータの転送が可能な状態であるか否かを判断するものであることを特
徴とする請求項１記載の端末装置。
【請求項３】
前記転送実施条件決定手段が、
前記放送受信手段により放送が受信されている場合、登録地域と同一地域の放送である
か否かの情報に基づいて、前記収録されたコンテンツデータの転送実施条件を決定する第
１の決定手段を備えていることを特徴とする請求項２記載の端末装置。
【請求項４】
目的地までの経路を案内する機能を有するナビゲーション手段を備え、
前記転送実施条件決定手段が、
前記ナビゲーション手段により取得又は算出された目的地に関連する情報、現在位置情
報、車速を含む車両情報、及び外部より取得した渋滞情報のうちの少なくともいずれかの
情報に基づいて、前記収録されたコンテンツデータの転送実施条件を決定する第２の決定
手段を備えていることを特徴とする請求項１〜３のいずれかの項に記載の端末装置。
【発明の詳細な説明】
【技術分野】
【０００１】
本発明は端末装置に関し、より詳細には、車両等の移動体に持ち込まれた携帯端末へ音
楽等のコンテンツデータを転送することができる端末装置に関する。
【背景技術】
【０００２】
近年、目的地までの経路等を案内するナビゲーション機能と映像や音声の再生機能とを
備えた車載用の端末装置には、大容量の記憶装置であるハードディスクドライブ（ＨＤＤ
）が搭載されるようになってきている。車載用の端末装置にＨＤＤが搭載されることによ
り、ナビゲーション用の電子地図データの他に、数千曲の膨大な音楽データ（圧縮オーデ
ィオデータ）をＨＤＤに収録することができるようになっており、ユーザの多様な音楽嗜
好に対応することができるようになっている。
一方で、車載用の端末装置のＨＤＤに収録された膨大な音楽データを、例えば、パソコ
ンの記憶装置（例えば、ＨＤＤ）にバックアップしておきたいというユーザの要望もある
。
【０００３】
下記の特許文献１には、ノート型パソコンとデータ通信が行えるように、車載用の端末
装置に通信インターフェース（ＵＳＢやＩＥＥＥ１３９４等の標準インターフェース等）
を装備させて、ノート型パソコンから車載用の端末装置にソースデータを送信し、ノート
型パソコンから受信したソースデータを車載用の端末装置側で再生させる技術について開
示されているが、車載用の端末装置のＨＤＤに収録された音楽等のコンテンツデータを、
ノート型パソコンに効率よく転送する技術については、特に開示されていない。
【０００４】
車載用の端末装置のＨＤＤに収録された膨大な音楽データを転送する場合、一般的には
駐車場等に車両を停止させた状態で行うことが想定されるが、このような方法では、音楽
データの転送が完了するまでの時間、ユーザは車内で待たなければならず、転送完了待ち
のストレスが発生するという問題があった。また、車両を停車させてアイドリング状態で
転送を行うとなると、燃料が無駄に消費されるとともに、排気ガスも排気され続けること
となり、エネルギー面、環境面から見ても好ましくないという問題もあった。
【特許文献１】特開２００３−２８３９５７号公報
【発明の開示】
【課題を解決するための手段及びその効果】
【０００５】
本発明は上記課題に鑑みなされたものであって、車両等の移動体に持ち込まれた携帯端
末に効率よく自動的にコンテンツデータの転送を行うことができる端末装置を提供するこ
とを目的としている。
【０００６】
上記目的を達成するために本発明に係る端末装置（１）は、コンテンツデータが収録さ
れる記憶手段と、携帯端末との間でデータ通信を行うための通信手段と、該通信手段を介
して通信可能に接続された携帯端末への前記記憶手段に収録されたコンテンツデータの転
送が可能な状態であるか否かを判断する転送可否判断手段と、該転送可否判断手段により
転送可能な状態であると判断された場合、所定の情報に基づいて、前記通信可能に接続さ
れた携帯端末への前記収録されたコンテンツデータの転送実施条件を決定する転送実施条
件決定手段と、該転送実施条件決定手段により決定された転送実施条件に応じて前記収録
されたコンテンツデータを前記通信可能に接続された携帯端末へ転送する制御を行うデー
タ転送制御手段とを備えていることを特徴としている。
【０００７】
上記端末装置（１）によれば、前記通信手段を介して通信可能に接続された携帯端末へ
の前記記憶手段に収録されたコンテンツデータの転送が可能な状態であるか否かが判断さ
れ、転送可能な状態であると判断された場合、所定の情報に基づいて、前記通信可能に接
続された携帯端末への前記収録されたコンテンツデータの転送実施条件が決定され、該決
定された転送実施条件に応じて前記収録されたコンテンツデータが前記通信可能に接続さ
れた携帯端末へ転送される。
【０００８】
したがって、前記決定された転送実施条件に応じて、前記記憶手段に収録されたコンテ
ンツデータを前記携帯端末へ効率よく自動的に転送することができ、データ転送待ちのス
トレスをユーザに感じさせることのない、使い勝手の良い、データ転送を行う装置を実現
することができる。なお、前記転送実施条件には、転送を終えるまでの時間（転送時間）
、転送を行うデータ量（転送データ量）、又は転送を終えるまでの移動距離（転送移動距
離）などの条件が適用され得る。
【発明を実施するための最良の形態】
【０００９】
以下、本発明に係る端末装置の実施の形態を図面に基づいて説明する。図１は、実施の
形態（１）に係る車載用端末装置を含むデータ転送システムの要部を概略的に示したブロ
ック図である。
【００１０】
図中１は、車両の前席前方に設置された車載用端末装置、３０は車室内に持ち込まれた
ノート型パソコン（以下、ＰＣと記す）を示している。車載用端末装置１は、ディジタル
テレビ（ＤＴＶ）放送受信部２、無線通信部３、ＶＩＣＳ受信部４、表示部５、音声出力
部６、通信インターフェース（Ｉ／Ｆ）７、メディアドライブ８、ハードディスクドライ
ブ（ＨＤＤ）９、入力部１０、計時部１１、これら各部を制御するマイコン１２を含んで
構成されている。
【００１１】
また、車速から演算して走行距離を取得するための車速センサ２１と、進行方向に関す
る情報を取得するためのジャイロセンサ２２とが、マイコン１２に接続されており、マイ
コン１２は、演算した走行距離情報及び進行方向情報に基づいて自車位置を割り出すよう
になっている（自律航法）。また、アンテナを介して衛星からのＧＰＳ信号を受信するＧ
ＰＳ受信機２３がマイコン１２に接続されており、マイコン１２はＧＰＳ信号に基づいて
自車位置を割り出すようになっている（ＧＰＳ航法）。また、サイドブレーキ２４のブレ
ーキ信号がマイコン１２に取り込まれるようになっている。
【００１２】
ＤＴＶ放送受信部２は、チューナ部、復調部、ＴＳ（Transport Stream) デコード部、
音声デコード部、映像デコード部等（いずれも図示せず）を含んで構成されており、ディ
ジタル放送を受信することができるようになっている。
【００１３】
前記チューナ部は、アンテナ２ａで受信した受信電波からユーザの希望する放送波をチ
ューニングして増幅するものであり、前記復調部は、前記チューナ部によりチューニング
された受信波を復調してディジタル信号を出力するもので、例えば、地上波ディジタルテ
レビ放送ではＯＦＤＭ（Orthogonal Frequency Division Multiplexing）変調された放送
波をＯＦＤＭ復調するＯＦＤＭ復調回路等を含んで構成されている。
【００１４】
前記ＴＳ（Transport Stream) デコード部は、ＯＦＤＭ復調されたディジタル信号をデ
コード（解読）するもの、つまり、放送局での変調前に伝送エラ−防止処理、圧縮処理、
結合処理等が施されたディジタル信号を元のディジタル信号に戻すものであり、ディジタ
ルシグナルプロセッサ等により構成されている。前記ＴＳデコード部によりデコードされ
たディジタル信号は、音声データ、映像データ、データ放送のマルチメディアデータとし
て各々前記音声デコード部、前記映像デコード部、マイコン１２に出力され、前記音声デ
コード部においてデコードされた音声データは音声出力部６に出力され、前記映像デコー
ド部においてデコードされた映像データは表示部５に出力されるようになっている。
【００１５】
また、マイコン１２に取り込まれるマルチメディアデータには、都道府県コードや郵便
番号などの放送地域を特定するための情報が含まれており、端末装置１において予め登録
されている地域登録情報（都道府県や郵便番号などの地域を特定するための情報）と照合
することにより、登録地域に応じた天気予報などのサービスの提供を行うことができるよ
うになっている。
【００１６】
無線通信部３は、マイコン１２の制御に基づいてＰＣ３０との間で無線通信を行うため
のものであり、赤外線通信手段（ＩｒＤＡ）、マイクロ波通信手段（Bluetooth ）などが
採用可能であり、マイコン１２では、無線通信部３を介してＰＣ３０との間で無線通信を
行うための処理が行われる。ＶＩＣＳ受信部４は、マイコン１２の制御に基づいて外部か
らＶＩＣＳ情報（渋滞や工事等の道路交通情報）を受信するためのものである。
【００１７】
表示部５は、マイコン１２の制御に基づいて各種情報を表示するためのものであり、画
像情報を記憶するＶＲＡＭ等からなるメモリ、液晶等から構成されるディスプレイ、及び
該ディスプレイへの表示制御を行う描画プロセッサ等から構成される表示制御部（いずれ
も図示せず）などを含んで構成されている。
【００１８】
音声出力部６は、マイコン１２の制御に基づいてメディアドライブ８やＨＤＤ９等から
送られてくるディジタル信号の音声データをアナログ信号に変換するＤ／Ａ変換部、アナ
ログ信号に変換された音声信号を増幅するアンプを含んで構成されており（いずれも図示
せず）、該アンプには、増幅された音声信号を音声に変換して出力するスピーカ（図示せ
ず）が接続されている。
【００１９】
通信インターフェース７は、マイコン１２の制御に基づいてＰＣ３０との間で有線通信
を行うためのものであり、ＵＳＢやＩＥＥＥ１３９４などが採用可能であり、マイコン１
２では、通信インターフェース７を介して、ＰＣ３０との間でデータ通信を行うための処
理が行われる。なお、本実施の形態では、通信ラインＬを介して車載用端末装置１とＰＣ
３０とがデータ通信可能に接続されている。
【００２０】
メディアドライブ８は、ＣＤドライブとＤＶＤドライブとを個別に有する構成、又はＣ
Ｄ及びＤＶＤのコンパチブルドライブを採用する構成等とすることができ、マイコン１２
の制御に基づいて、挿入されたＣＤやＤＶＤ等の記録メディア８ａから音楽や映像などの
コンテンツデータを読み出し、音声出力部６や表示部５に出力するようになっている。
【００２１】
ＨＤＤ９は、大容量の書き換え可能な記憶手段として採用されており、ナビゲーション
用の地図データベース（ＤＢ）９ａと、ＣＤ等の記録メディア８ａから読み取った音楽デ
ータを収録する音楽データベース（ＤＢ）９ｂとを含んで構成されている。なお、ＨＤＤ
９は、複数のハードディスクドライブ（地図データベース９ａ用、音楽データベース９ｂ
用など）で構成してもよい。なお、音楽データベース９ｂには、記録メディア８ａから読
み取った音楽データの他に、該音楽データに関連する曲情報なども収録されるように構成
されている。また、データの読み書きが可能なＤＶＤ−ＲＡＭ装置、半導体メモリなどの
記憶装置をさらに追加したり、ＨＤＤ９の代わりに採用することも可能である。
【００２２】
入力部１０は、前面パネルに設けられた各種の操作や入力を行うためのボタンスイッチ
、表示部５のディスプレイ上に配置されるタッチパネル、遠隔操作用のリモコン、音声入
力装置等（いずれも図示せず）から構成され、マイコン１２では、入力部１０からの入力
信号に応じた処理が実行されるようになっている。計時部１１は、時計回路を含んで構成
されている。
【００２３】
マイコン１２は、入出力インターフェース、各種の制御プログラム等が格納されたＲＯ
Ｍ、制御データ等が一時的に記憶されるＲＡＭ、及びＲＯＭから読み出した制御プログラ
ムに基づいて、各部の制御を実行するＣＰＵ（いずせも図示せず）を含んで構成されてい
る。なお、マイコン１２では、メディアドライブ８を制御して、記録メディア８ａから読
み取ったデータを再生する処理、記録メディア８ａから読み取った音楽データを圧縮しな
がらＨＤＤ９の音楽ＤＢ９ｂに書き込む処理、ＨＤＤ９に記憶されている電子地図データ
等のナビゲーション用のデータを読み出しながら、地図表示、経路探索、目的地への経路
案内などの各種処理が行われるようになっている。
【００２４】
また、マイコン１２は、無線通信部３又は通信インターフェース７を介して通信可能に
接続されたＰＣ３０へのＨＤＤ９に収録された音楽データの転送が可能な状態であるか否
かを判断する機能（転送可否判断手段１２ａ）と、転送可否判断手段１２ａにより転送可
能な状態であると判断された場合、転送を実施する条件を決定するための所定の情報に基
づいて、ＰＣ３０への音楽データの転送実施条件を決定する機能（転送実施条件決定手段
１２ｂ）と、転送実施条件決定手段１２ｂにより決定された転送実施条件に応じた音楽デ
ータを通信可能に接続されたＰＣ３０へ転送する制御を行う機能（データ転送制御手段１
２ｃ）とを備えている。なお、音楽データのみならず、音楽ＤＢ９ｂに収録されている対
応する曲情報も合わせて転送するようにしてもよい。
【００２５】
また、上記音楽データの転送が可能な状態であるか否かの判断は、例えば、ＤＴＶ放送
受信部２の作動状況、メディアドライブ８の作動状況、ナビゲーション機能の作動状況等
に基づいて判断することが可能となっている。
【００２６】
また、前記転送実施条件には、音楽データの転送を終えるまでの時間（転送時間）、転
送を行うデータ量（転送データ量）、又は転送を終えるまでの移動距離（転送移動距離）
などの条件が採用可能であり、前記転送実施条件の決定は、例えば、ＤＴＶ放送受信部２
により放送が受信されている場合、装置に予め登録されている登録地域と同一地域の放送
であるか否かに基づいて決定されるようになっており、また、ナビゲーション処理により
取得又は算出された目的地に関連する情報、現在位置情報、車速等の車両情報、及びＶＩ
ＣＳ受信部４より取得した渋滞情報のうちの少なくともいずれかの情報に基づいて決定さ
れるようにもなっている。
【００２７】
一方のＰＣ３０は、無線通信部３１、通信インターフェース（Ｉ／Ｆ）３２、表示部３
３、音声出力部３４、記憶部３５、入力部３６、計時部３７、及びこれら各部を制御する
マイコン３８を含んで構成されている。
【００２８】
無線通信部３１は、車載用端末装置１との間で無線通信を行うためのものであり、赤外
線通信手段（ＩｒＤＡ）、マイクロ波通信手段（Bluetooth ）などが採用可能であり、こ
こでは車載用端末装置１と同一規格のものが採用されており、車載用端末装置１との間で
無線通信が可能に構成されている。
【００２９】
通信インターフェース３２は、車載用端末装置１との間で有線通信を行うためのもので
あり、ＵＳＢやＩＥＥＥ１３９４などが採用可能であり、ここでは車載用端末装置１と同
一規格のものが採用されており、車載用端末装置１との間で有線通信が可能に構成されて
いる。
【００３０】
表示部３３は、マイコン３８の制御に基づいて各種情報を表示するためのものであり、
車載用端末装置１の表示部５と同様な構成のものが採用され得る。音声出力部３４は、Ｄ
／Ａ変換部、アンプ、スピーカ（いずれも図示せず）を含んで構成されている。
【００３１】
記憶部３５は、大容量の書き換え可能な記憶手段であるハードディスクドライブ（ＨＤ
Ｄ）などが採用され得る。また、データの読み書きが可能なＤＶＤ−ＲＡＭ装置、半導体
メモリなどの記憶装置をさらに追加することも可能である。
入力部３６は、キーボード、タッチパッド、マウス等（いずれも図示せず）から構成さ
れ、計時部３７は、時計回路を含んで構成されている。
【００３２】
マイコン３８は、入出力インターフェース、制御プログラム等が格納されたＲＯＭ、各
種データが一時的に記憶されるＲＡＭ、及びＲＯＭから読み出した制御プログラムに基づ
いて、装置各部の制御を実行するＣＰＵ（いずれも図示せず）を含んで構成されている。
【００３３】
次に実施の形態に係る車載用端末装置１におけるマイコン１２の行う処理動作を図２−
１〜図２−３に示したフローチャートに基づいて説明する。なお、本処理動作は、車載用
端末装置１への電源投入後から実施される。
【００３４】
まず、ステップＳ１では、車両に持ち込まれたＰＣ３０と有線接続されているか否かを
判断し、ＰＣ３０と有線接続されていないと判断すればステップＳ２に進み、ステップＳ
２では、ＰＣ３０と無線接続されているか否かを判断し、ＰＣ３０と無線接続されていな
いと判断すれば、その後処理を終える。一方、ステップＳ１においてＰＣ３０と有線接続
されていると判断した場合、又はステップＳ２においてＰＣ３０と無線接続されていると
判断した場合、ステップＳ３に進む。
【００３５】
ステップＳ３では、ＰＣ３０に転送する音楽データがあるか否かを判断し、ＰＣ３０に
転送する音楽データがないと判断すれば処理を終える一方、ＰＣ３０に転送する音楽デー
タがあると判断すればステップＳ４に進む。なお、ＰＣ３０に転送する音楽データがある
か否かは、例えば、メディアドライブ８にセットされたＣＤの曲が、音楽データベース９
ｂに未収録の場合、又はＰＣ３０から取得したＰＣ３０側の音楽収録情報と音楽データベ
ース９ｂの収録曲情報とを照合して、ＰＣ３０側に未収録の音楽がある場合に、ＰＣ３０
側に転送する音楽データがあると判断するようにすればよい。
【００３６】
次のステップＳ４では、ＰＣ３０から送信されてきたメモリ情報に基づいて、ＰＣ３０
の記憶部３５に音楽データを収録するための空き容量があるか否かを判断し、ＰＣ３０の
記憶部３５に音楽データ収録用の空き容量がないと判断すれば処理を終える一方、空き容
量があると判断すればステップＳ５に進む。
【００３７】
ステップＳ５では、ディジタルテレビ（ＤＴＶ）放送を受信中か否かを判断し、ＤＴＶ
放送を受信中であると判断すればステップＳ６に進み、ステップＳ６では、受信して復調
したデータのエラー率Ｅｎ が所定率Ｅ以上であるか否かを判断し、復調データのエラー率Ｅｎが所定率Ｅ以上であると判断すれば処理を終える一方、復調データのエラー率Ｅｎ が所定率Ｅ未満であると判断すればステップＳ７に進む。なお、車載用端末装置１に、さらにディジタルラジオ放送受信部を設けて、上記と同様な処理を追加する構成としても良い。
【００３８】
ステップＳ７では、受信中の放送が登録地域（例えば自宅）と同じ地域の放送であるか
否かを判断し、受信中の放送が登録地域と同じ地域の放送であると判断すればステップＳ
８に進む。なお、受信中の放送が登録地域（例えば自宅）と同じ地域の放送であるか否か
は、例えば、受信データに含まれる地域情報と、予め登録している地点（例えば自宅）の
登録地域情報とを照合して判定することができる。
【００３９】
次のステップＳ８では、音楽データの転送時間ＴをＴ１（Ｔ１：登録地点と同一地域の
場合に設定される時間）に決定し、その後ステップＳ９に進み、ステップＳ９では、ＰＣ
３０への音楽データの転送処理を開始するとともに、転送時間Ｔ（＝Ｔ１）のカウントを
開始して、その後ステップＳ１０に進む。
【００４０】
ステップＳ１０では、車両が所定時間以上継続して停止したか否かを判断し、車両が所
定時間以上継続して停止していないと判断すればステップＳ１２に進む一方、車両が所定
時間以上継続して停止したと判断すればステップＳ１１に進む。なお、車両が所定時間以
上継続して停止しているか否かは、例えば、ＧＰＳ受信機２３で検出された自車位置が所
定時間以上継続して変化していないかどうかで判断したり、サイドブレーキ２４をかけて
いる状態又は車速が０の状態が所定時間以上継続しているかどうかで判断することができ
る。
【００４１】
次のステップＳ１１では、設定されている転送時間Ｔに所定時間Ｔ２を加算して、転送
時間ＴをＴ１＋Ｔ２に決定し、その後ステップＳ１２に進む。所定時間Ｔ２は、車両の一
定時間の停止回数に応じて加算されるようになっている。ステップＳ１２では、決定され
た転送時間Ｔが経過したか否かを判断し、転送時間Ｔが経過していないと判断すればステ
ップＳ１０に戻る一方、転送時間Ｔが経過したと判断すればステップＳ１３に進み、ステ
ップＳ１３では、ＰＣ３０への音楽データの転送が完了しているか否かを判断し、音楽デ
ータの転送が完了していないと判断すればステップＳ５に戻る一方、音楽データの転送が
完了していると判断すればその後処理を終える。なお、転送時間Ｔが経過したときに、曲
の途中でデータ転送が中断されないように、転送時間Ｔの残り時間と、次に転送する曲の
データ転送に必要な時間とを順次比較し、転送時間Ｔの残り時間内に、次の曲のデータ転
送が終わらないようであれば、次の曲のデータ転送に進まない構成としてもよい。
【００４２】
一方ステップＳ７において、受信中の放送が登録地点（例えば自宅）と同じ地域の放送
ではないと判断すればステップＳ１４（図２−２参照）に進み、ステップＳ１４では、音
楽データの転送時間ＴをＴ３（Ｔ３：登録地点と同一地域ではない場合に設定される時間
、但しＴ３＞Ｔ１）に決定し、その後ステップＳ１５に進み、ステップＳ１５では、ＰＣ
３０への音楽データの転送処理を開始するとともに、転送時間Ｔ（＝Ｔ３）のカウントを
開始して、その後ステップＳ１６に進む。
【００４３】
ステップＳ１６では、所定速度ｓ（例えば、８０ｋｍ）以上の車速が、所定時間以上継
続したか否かを判断し、所定速度ｓ以上の車速が、所定時間以上継続したと判断すればス
テップＳ１７に進み、ステップＳ１７では、高速道路を走行中であるか否かを判断し、高
速道路を走行中ではないと判断すればステップＳ２１に進む一方、高速道路を走行中であ
ると判断すればステップＳ１８に進む。
【００４４】
ステップＳ１８では、現在地から次のサービスエリア（ＳＡ）までの予測到着時間を求
め、該予測到着時間Ｔ４を音楽データの転送時間Ｔに再決定し、転送時間Ｔ（＝Ｔ４）の
カウントを開始してその後ステップＳ２１に進む。
【００４５】
一方ステップＳ１６において、所定速度ｓ以上の車速が、所定時間以上継続していない
と判断すればステップＳ１９に進み、ステップＳ１９では、ＶＩＣＳ受信部４を介して自
車の進行方向道路の渋滞情報を受信したか否かを判断し、渋滞情報を受信していないと判
断すればステップＳ２１に進む一方、渋滞情報を受信していると判断すればステップＳ２
０に進み、ステップＳ２０では、ステップＳ１４において設定された転送時間Ｔ（＝Ｔ３
）に、渋滞通過予測時間Ｔ５を加算した時間（Ｔ３＋Ｔ５）を転送時間Ｔに決定し、その
後ステップＳ２１に進む。
【００４６】
ステップＳ２１では、各処理において各々決定された転送時間Ｔが経過したか否かを判
断し、転送時間Ｔが経過していないと判断すればステップＳ１６に戻る一方、転送時間Ｔ
が経過したと判断すればステップＳ２２に進み、ステップＳ２２では、ＰＣ３０への音楽
データの転送が完了したか否かを判断し、音楽データの転送が完了していないと判断すれ
ばステップＳ５に戻る一方、音楽データの転送が完了したと判断すれば処理を終える。
【００４７】
また一方ステップＳ５において、ＤＴＶ放送を受信中ではないと判断すればステップＳ
２３（図２−３参照）に進み、ステップＳ２３では、ＤＶＤが再生中か否かを判断し、Ｄ
ＶＤが再生中であると判断すればステップＳ２４に進む。ステップＳ２４では、ＤＶＤの
再生中、音楽データをＰＣ３０に転送する設定に決定し、その後ステップＳ２５に進み、
ＰＣ３０への音楽データの転送処理を開始し、その後ステップＳ２６に進む。
【００４８】
ステップＳ２６では、ＤＶＤの再生が停止されたか否かを判断し、ＤＶＤの再生が停止
されたと判断すればステップＳ２７に進み、ステップＳ２７では、ＰＣ３０への音楽デー
タの転送が完了したか否かを判断し、音楽データの転送が完了していないと判断すればス
テップＳ５に戻る一方、音楽データの転送が完了したと判断すればその後処理を終える。
【００４９】
一方ステップＳ２３において、ＤＶＤが再生中ではないと判断すればステップＳ２８に
進み、ステップＳ２８では、道路地図を表示中か否かを判断し、道路地図を表示中ではな
いと判断すれば処理を終える一方、道路地図を表示中であると判断すればステップＳ２９
に進む。
【００５０】
ステップＳ２９では、目的地が設定されているか否かを判断し、目的地が設定されてい
ると判断すればステップＳ３０に進み、目的地までの予測到着時間Ｔ６を音楽データの転
送時間Ｔに決定し、その後ステップＳ３１に進み、ステップＳ３１では、ＰＣ３０への音
楽データの転送処理を開始するとともに、転送時間Ｔ（＝Ｔ６）のカウントを開始して、
その後ステップＳ３４に進む。
【００５１】
一方、ステップＳ３０において、目的地が設定されていないと判断すればステップＳ３
２に進み、ステップＳ３２では、目的地が設定されていない場合の時間Ｔ７を転送時間Ｔ
に決定し、その後ステップＳ３３に進み、ステップＳ３３では、ＰＣ３０への音楽データ
の転送処理を開始するとともに、転送時間Ｔ（＝Ｔ７）のカウントを開始して、その後ス
テップＳ３４に進む。
【００５２】
ステップＳ３４では、各処理で決定された転送時間Ｔが経過したか否かを判断し、転送
時間Ｔが経過したと判断すればステップＳ３５に進み、ステップＳ３５では、ＰＣ３０へ
の音楽データの転送が完了したか否かを判断し、音楽データの転送が完了していないと判
断すればステップＳ５に戻る一方、音楽データの転送が完了したと判断すれば処理を終え
る。
【００５３】
上記実施の形態に係る車載用端末装置１によれば、無線通信部３又は通信Ｉ／Ｆ７を介
して通信可能に接続されたＰＣ３０へ、ＨＤＤ９に収録された音楽データの転送が可能な
状態であるか否かが、ＤＴＶ放送受信部２の受信状況やメディアドライブ８によるＤＶＤ
の再生状況等に基づいて判断されるので、走行中における音楽データの転送可能なタイミ
ングを適切に判断することができる。
【００５４】
また、転送可能な状態であると判断された場合、所定の情報に基づいて、通信可能に接
続されたＰＣ３０へのコンテンツデータの転送実施条件が決定される。例えば、ＤＴＶ放
送受信部２によりディジタル放送が受信されている場合、登録地域（自宅）と同一地域の
放送であるか否かの情報に基づいて、ＨＤＤ９に収録された音楽データの転送時間Ｔが決
定されるので、登録地域（自宅）と同一地域の放送であれば、移動時間が短いことが想定
されるので、転送時間を短めの時間Ｔ１に決定し、登録地域（自宅）と同一地域の放送で
なければ、移動時間が長いことが想定されるので、転送時間を長めの時間Ｔ３に決定する
ことができ、移動時間の長短を予測して、転送時間Ｔを適切に決定することができる。
【００５５】
また、マイコン１２が実行するナビゲーション処理により取得又は算出された目的地に
関連する情報、現在位置情報、車速を含む車両情報、及びＶＩＣＳ受信部４より取得した
渋滞情報のうちの少なくともいずれかの情報に基づいて、ＨＤＤ９に収録された音楽デー
タの転送時間Ｔが決定されるので、例えば、道路地図表示中で、目的地が設定されている
場合には、目的地までは転送処理が可能と判断し、目的地までの予測到達時間Ｔ６を転送
時間Ｔに決定することができる。
【００５６】
また、車速や高速道路等の走行状況に基づいて、例えば、高速道路を走行中であれば、
次のＳＡまでは転送処理が可能と判断し、次のＳＡまでの予測到着時間Ｔ４を転送時間Ｔ
に決定したりすることができる。また、ＶＩＣＳ受信部４より渋滞情報を取得した場合に
は、渋滞に巻き込まれる可能性が高いことから、渋滞通過予測時間Ｔ５を加算して転送時
間Ｔを延ばす変更が行われるので、効率のよい適切な転送条件を決定することができる。
【００５７】
そして、決定された転送時間に応じたコンテンツデータが通信可能に接続されたＰＣ３
０へ転送される。したがって、ＨＤＤ９に収録された音楽データをＰＣ３０へ効率よく自
動的に転送することができ、データ転送待ちのストレスをユーザに感じさせることのない
装置を実現することができ、ユーザの使い勝手を向上させることができる。
【００５８】
なお、上記実施の形態では、転送実施条件として、転送時間Ｔを求める場合について説
明したが、別の実施の形態では、転送実施条件として、転送を行うデータ量（転送データ
量）、又は転送を終えるまでの車両の移動距離（転送移動距離）などの条件を求める構成
としても良い。
【００５９】
また、上記実施の形態では、上記ステップＳ６において、受信して復調したデータのエ
ラー率Ｅｎが所定率Ｅ以上であるか否かを判断するようになっているが、別の実施の形態
では、上記ステップＳ６に代えて、受信電波の信号レベル（Ｓレベル）が、所定レベル以
上であるか否かを判断し、信号レベルが所定レベル未満であると判断すれば処理を終える
一方、信号レベルが所定レベル以上であると判断すればステップＳ７以降の処理に進む構
成とすることもできる。受信電波の信号レベル（Ｓレベル）であれば、ディジタルテレビ
放送受信機だけでなく、アナログテレビ放送受信機が搭載された車載用端末装置にも適用
することができる。
【００６０】
さらに別の実施の形態では、受信電波の信号レベル（Ｓレベル）の判定と、復調データ
のエラー率の判定とを組み合わせた処理構成、すなわち、受信電波の信号レベル（Ｓレベ
ル）が所定レベル以上であるか否かをまず判断し、信号レベルが所定レベル未満であると
判断すれば処理を終える一方、信号レベルが所定レベル以上であると判断すれば、次に復
調データのエラー率Ｅｎ が所定率Ｅ以上であるか否かを判断し、復調データのエラー率Ｅｎが所定率Ｅ以上であると判断すれば処理を終える一方、復調データのエラー率Ｅｎが所定率Ｅ未満であると判断すればステップＳ７以降の処理へ進む構成とすることもできる。
【００６１】
また、別の実施の形態では、目的地が設定された場合に、該目的地までの案内ルートを
音楽データの転送時間を考慮して探索する構成としてもよい。かかる構成によれば、音楽
データの転送を適切に完了するための案内ルートを探索して、ユーザに提示することがで
き、ユーザが転送用の案内ルートを選択した場合には、頻繁な転送処理を行うことなく、
効率の良い転送処理を行うことが可能となる。
【００６２】
また、上記実施の形態では、携帯端末として、ノート型パソコン（ＰＣ）を適用した場
合について説明したが、ノート型パソコン以外でも良く、例えば、ＰＤＡや携帯電話など
、通信機能と記憶部とを備えた各種の携帯端末を適用することができる。
【００６３】
また、上記実施の形態では、車載用端末装置１からＰＣ３０へ音楽データを転送する場
合について説明したが、ＰＣ３０から車載用端末装置１へ音楽データを転送する場合、す
なわち、車載用端末装置１がＰＣ３０から音楽データを取得する場合に、上記と同様な処
理を適用する構成とすることもできる。
【図面の簡単な説明】
【００６４】
【図１】本発明の実施の形態に係る車載用端末装置を含むデータ転送システムの要部を概略的に示したブロック図である。
【図２−１】実施の形態に係る車載用端末装置におけるマイコンの行う処理動作を示したフローチャートである。
【図２−２】実施の形態に係る車載用端末装置におけるマイコンの行う処理動作を示したフローチャートである。
【図２−３】実施の形態に係る車載用端末装置におけるマイコンの行う処理動作を示したフローチャートである。
【符号の説明】
【００６５】
１  車載用端末装置
２  ＤＴＶ受信部
３  無線通信部
４  ＶＩＣＳ受信部
５  表示部
６  音声出力部
７  通信Ｉ／Ｆ
８  メディアドライブ
９  ＨＤＤ
１０  入力部
１１  計時部
１２  マイコン
１２ａ  転送可否判断手段
１２ｂ  転送実施条件決定手段
１２ｃ  データ転送制御手段
３０  ＰＣ
【図１】
2008090620.tif 000003
【図２−１】
2008090620.tif 000004
【図２−２】
2008090620.tif 000005
【図２−３】
2008090620.tif 000006